(57)【要約】【課題】  ＤＶＤ−ＶＲ規格で記録される光ディスクには、視聴制限のための機能はなく、光ディスク再生装置さえあれば、その光ディスクに記録されたコンテンツを誰でも自由に視聴できてしまう。【解決手段】  選択したコンテンツに視聴制限をかける場合は（ステップ１０３のＹＥＳ）、その選択したコンテンツのＴＥビットを全てノーマル・ステートからテンポラリ・イレース・ステートに書き換える（ステップ１０６）。ＤＶＤ−ＶＲ規格では、編集機能の一つとしてデータ自体は削除されないが、編集後のデータは再生されないようにするテンポラリイレース状態とする機能がある。そこで、このテンポラリイレース状態とするために、選択されたコンテンツの全てのＴＥビットをテンポラリ・イレース・ステートに書き換えると、その選択されたコンテンツは実質上視聴制限状態となる。【選択図】            図１
2005339700.tif 000002
【特許請求の範囲】
【請求項１】
編集時に記録型光ディスク上の記録データは削除せず再生禁止の所定状態とする編集機能を有する光ディスク記録再生装置における視聴制限方法であって、
前記記録型光ディスクから再生しようとして任意に選択したコンテンツに、視聴制限をかけるかどうか判定する第１のステップと、
前記第１のステップにより、視聴制限をかけると判定したときには、前記選択したコンテンツの全再生領域に亘って前記再生禁止の所定状態に変更する処理を行う第２のステップと
を含むことを特徴とする記録型光ディスクの視聴制限方法。
【請求項２】
編集時に記録型光ディスク上の記録データは削除せず再生禁止の所定状態とする編集機能を有する光ディスク記録再生装置における視聴制限方法であって、
前記記録型光ディスクから再生しようとして任意に選択したコンテンツに、視聴制限がかかっているかどうか判定する第１のステップと、
前記第１のステップにより、視聴制限がかかっていないと判定したときには、視聴制限をかけるかどうか判定する第２のステップと、
前記第２のステップにより視聴制限をかけると判定したときには、パスワードを入力させて、その入力パスワードを保存すると共に、前記選択したコンテンツの全再生領域に亘って前記再生禁止の所定状態に変更する処理を行う第３のステップと、
前記第１のステップにより視聴制限がかかっていると判定したとき、又は前記第３のステップで前記再生禁止の所定状態に変更する処理が行われた選択したコンテンツを再生するときには、パスワードを入力させて、その入力パスワードと保存されているパスワードとが一致するかどうか判定する第４のステップと、
前記第４のステップでパスワード一致の判定結果が得られるときにのみ、前記選択したコンテンツの全再生領域に亘って前記再生禁止の所定状態を再生可能の通常状態に変更する処理を行う第５のステップと
を含むことを特徴とする記録型光ディスクの視聴制限方法。
【請求項３】
編集時に記録型光ディスク上の記録データは削除せず再生禁止の所定状態とする編集機能を実行する制御部を有し、前記記録型光ディスクに対してコンテンツの記録再生を行う光ディスク記録再生装置であって、
前記制御部は、
前記記録型光ディスクから再生しようとして任意に選択したコンテンツに、視聴制限をかけるかどうか判定する判定手段と、
前記判定手段が視聴制限をかけると判定したときには、前記選択したコンテンツの全再生領域に亘って前記再生禁止の所定状態に変更する処理を行う処理手段と
を含むことを特徴とする光ディスク記録再生装置。
【請求項４】
編集時に記録型光ディスク上の記録データは削除せず再生禁止の所定状態とする編集機能を実行する制御部を有し、前記記録型光ディスクに対してコンテンツの記録再生を行う光ディスク記録再生装置であって、
前記制御部は、
前記記録型光ディスクから再生しようとして任意に選択したコンテンツに、視聴制限がかかっているかどうか判定する第１の判定手段と、
前記第１の判定手段が視聴制限がかかっていないと判定したときには、視聴制限をかけるかどうか判定する第２の判定手段と、
前記第２の判定手段が視聴制限をかけると判定したときには、パスワードを入力させて、その入力パスワードを保存すると共に、前記選択したコンテンツの全再生領域に亘って前記再生禁止の所定状態に変更する処理を行う第１の処理手段と、
前記記録型光ディスクから再生しようとして任意に選択したコンテンツに、前記第１の判定手段により視聴制限がかかっていると判定したとき、又は前記第１の処理手段で前記再生禁止の所定状態に変更する処理が行われた選択したコンテンツを再生するときには、パスワードを入力させて、その入力パスワードと保存されているパスワードとが一致するかどうか判定する第３の判定手段と、
前記第３の判定手段でパスワード一致の判定結果が得られるときにのみ、前記選択したコンテンツの全再生領域に亘って前記再生禁止の所定状態を再生可能の通常状態に変更する処理を行う第２の処理手段と
を含むことを特徴とする光ディスク記録再生装置。
【発明の詳細な説明】
【技術分野】
【０００１】
本発明は記録型光ディスクの視聴制限方法及び光ディスク記録再生装置に係り、特にディジタル動画信号などを記録した記録型光ディスクの再生信号に対して視聴制限する記録型光ディスクの視聴制限方法及び光ディスク記録再生装置に関する。
【背景技術】
【０００２】
近年、動画像信号の記録再生が可能な大容量の記録媒体として、光ディスクであるＤＶＤ（Digital Versatile Disk）が広く普及している。かかるＤＶＤには複数の種類があり、記録再生が可能な記録型のＤＶＤには、ＤＶＤフォーラムが策定したＤＶＤ−Ｒ、ＤＶＤ−ＲＷ、ＤＶＤ−ＲＡＭがあり、また、ＤＶＤ＋ＲＷアライアンスが策定したＤＶＤ＋Ｒ、ＤＶＤ＋ＲＷがある。また、ＤＶＤのアプリケーションフォーマットも複数の種類があるが、ＤＶＤフォーラムが策定した代表的なものとしては、ＤＶＤ−Ｖｉｄｅｏ規格やＤＶＤ−ＶＲ規格が知られている。
【０００３】
ところで、上記のＤＶＤに動画像信号や音声信号を記録し再生する場合、例えば子供向けのアニメーションと大人向けの深夜番組を同じ日に予約録画した場合、途中でＤＶＤを交換しないと一枚の光ディスク（ＤＶＤ）に両方の番組を記録することになるが、その場合、記録後のコンテンツを子供が視聴する際にはもう一方のコンテンツは再生選択できないようにしたい。
【０００４】
また、記録済みの光ディスクを貸し借りする際、光ディスク内にプライベートなコンテンツが在った場合に、そのコンテンツのみ視聴不可にしたい。更に、光ディスクに記録された情報内容のうち、暴力シーンなど未成年者に見せたくない部分もある。
【０００５】
このような要求を満たすため、ＤＶＤ−Ｖｉｄｅｏ規格では、パレンタル機能が用意されており、これにより視聴対象者を限定して視聴制限をかけることができる（例えば、非特許文献１参照）。
【０００６】
【非特許文献１】ＴｅｃｈＤＯＣ著，「記録型ＤＶＤ規格ハンドブック」，初版，株式会社ディー・アート，２００３年５月３０日，ｐ．１１５
【発明の開示】
【発明が解決しようとする課題】
【０００７】
しかるに、ＤＶＤ−ＶＲ規格で記録される光ディスク（ＤＶＤ）には、上記の視聴制限のための機能はなく、光ディスク再生装置さえあれば、その光ディスクに記録されたコンテンツを誰でも自由に視聴できてしまうため、コンテンツ毎にプライバシーを持たせることが困難であるという問題がある。
【０００８】
本発明は上記の点に鑑みなされたもので、視聴制限用の機能を有しない規格で記録される記録型光ディスクでも、視聴制限を可能とした記録型光ディスクの視聴制限方法及び光ディスク記録再生装置を提供することを目的とする。
【課題を解決するための手段】
【０００９】
上記の目的を達成するため、本発明の記録型光ディスクの視聴制限方法は、編集時に記録型光ディスク上の記録データは削除せず再生禁止の所定状態とする編集機能を有する光ディスク記録再生装置における視聴制限方法であって、記録型光ディスクから再生しようとして任意に選択したコンテンツに、視聴制限をかけるかどうか判定する第１のステップと、第１のステップにより、視聴制限をかけると判定したときには、選択したコンテンツの全再生領域に亘って再生禁止の所定状態に変更する処理を行う第２のステップとを含むことを特徴とする。
【００１０】
この発明では、記録型光ディスクから再生しようとして任意に選択したコンテンツを視聴制限する場合、記録型光ディスク上の記録データは削除せず再生禁止の所定状態とする編集機能を利用して、上記の選択したコンテンツの全再生領域に亘って再生禁止の所定状態に変更する処理を行うようにしたため、選択したコンテンツを実質的に視聴制限することができる。
【００１１】
また、上記の目的を達成するため、本発明の記録型光ディスクの視聴制限方法は、編集時に記録型光ディスク上の記録データは削除せず再生禁止の所定状態とする編集機能を有する光ディスク記録再生装置における視聴制限方法であって、記録型光ディスクから再生しようとして任意に選択したコンテンツに、視聴制限がかかっているかどうか判定する第１のステップと、第１のステップにより、視聴制限がかかっていないと判定したときには、視聴制限をかけるかどうか判定する第２のステップと、第２のステップにより視聴制限をかけると判定したときには、パスワードを入力させて、その入力パスワードを保存すると共に、選択したコンテンツの全再生領域に亘って再生禁止の所定状態に変更する処理を行う第３のステップと、第１のステップにより視聴制限がかかっていると判定したとき、又は第３のステップで再生禁止の所定状態に変更する処理が行われた選択したコンテンツを再生するときには、パスワードを入力させて、その入力パスワードと保存されているパスワードとが一致するかどうか判定する第４のステップと、第４のステップでパスワード一致の判定結果が得られるときにのみ、選択したコンテンツの全再生領域に亘って再生禁止の所定状態を再生可能の通常状態に変更する処理を行う第５のステップとを含むことを特徴とする。
【００１２】
この発明では、記録型光ディスクから再生しようとして任意に選択したコンテンツを視聴制限する場合、記録型光ディスク上の記録データは削除せず再生禁止の所定状態とする編集機能を利用して、上記の選択したコンテンツの全再生領域に亘って再生禁止の所定状態に変更する処理を行うと共に、そのときにパスワードを入力させて保存し、全再生領域に亘って再生禁止の所定状態とされたコンテンツを再生するときには、パスワードを入力させてその入力パスワードが保存してあるパスワードと一致したときに限り、上記の選択したコンテンツの全再生領域に亘って再生禁止の所定状態から再生可能な通常状態に変更する処理を行うことで、再生可能とすることができる。
【００１３】
また、上記の目的を達成するため、本発明の光ディスク記録再生装置は、編集時に記録型光ディスク上の記録データは削除せず再生禁止の所定状態とする編集機能を実行する制御部を有し、記録型光ディスクに対してコンテンツの記録再生を行う光ディスク記録再生装置であって、上記の制御部は、記録型光ディスクから再生しようとして任意に選択したコンテンツに、視聴制限をかけるかどうか判定する判定手段と、判定手段が視聴制限をかけると判定したときには、選択したコンテンツの全再生領域に亘って再生禁止の所定状態に変更する処理を行う処理手段とを含むことを特徴とする。
【００１４】
この発明では、記録型光ディスクから再生しようとして任意に選択したコンテンツを視聴制限する場合、記録型光ディスク上の記録データは削除せず再生禁止の所定状態とする編集機能を利用して、上記の選択したコンテンツの全再生領域に亘って再生禁止の所定状態に変更する処理を行うようにしたため、選択したコンテンツを実質的に視聴制限することができる。
【００１５】
また、上記の目的を達成するため、本発明の光ディスク記録再生装置は、編集時に記録型光ディスク上の記録データは削除せず再生禁止の所定状態とする編集機能を実行する制御部を有し、記録型光ディスクに対してコンテンツの記録再生を行う光ディスク記録再生装置であって、上記の制御部は、
記録型光ディスクから再生しようとして任意に選択したコンテンツに、視聴制限がかかっているかどうか判定する第１の判定手段と、第１の判定手段が視聴制限がかかっていないと判定したときには、視聴制限をかけるかどうか判定する第２の判定手段と、第２の判定手段が視聴制限をかけると判定したときには、パスワードを入力させて、その入力パスワードを保存すると共に、選択したコンテンツの全再生領域に亘って再生禁止の所定状態に変更する処理を行う第１の処理手段と、記録型光ディスクから再生しようとして任意に選択したコンテンツに、第１の判定手段により視聴制限がかかっていると判定したとき、又は第１の処理手段で再生禁止の所定状態に変更する処理が行われた選択したコンテンツを再生するときには、パスワードを入力させて、その入力パスワードと保存されているパスワードとが一致するかどうか判定する第３の判定手段と、第３の判定手段でパスワード一致の判定結果が得られるときにのみ、選択したコンテンツの全再生領域に亘って再生禁止の所定状態を再生可能の通常状態に変更する処理を行う第２の処理手段とを含むことを特徴とする。
【００１６】
この発明では、記録型光ディスクから再生しようとして任意に選択したコンテンツを視聴制限する場合、記録型光ディスク上の記録データは削除せず再生禁止の所定状態とする編集機能を利用して、上記の選択したコンテンツの全再生領域に亘って再生禁止の所定状態に変更する処理を行うと共に、そのときにパスワードを入力させて保存し、全再生領域に亘って再生禁止の所定状態とされたコンテンツを再生するときには、パスワードを入力させてその入力パスワードが保存してあるパスワードと一致したときに限り、上記の選択したコンテンツの全再生領域に亘って再生禁止の所定状態から再生可能な通常状態に変更する処理を行うことで、再生可能とすることができる。
【発明の効果】
【００１７】
本発明によれば、記録型光ディスクから再生しようとして任意に選択したコンテンツを視聴制限する場合、記録型光ディスク上の記録データは削除せず再生禁止の所定状態とする編集機能を利用して、上記の選択したコンテンツの全再生領域に亘って再生禁止の所定状態に変更する処理を行うことにより、選択したコンテンツを実質的に視聴制限することができるため、視聴制限用の機能を有しない規格で記録される記録型光ディスクに記録されているコンテンツの中から、任意に選択したコンテンツにプライバシーを持たせることができる。
【００１８】
また、本発明によれば、全再生領域に亘って再生禁止の所定状態とされたコンテンツを再生するときには、パスワードを入力させてその入力パスワードが保存してあるパスワードと一致したときに限り、選択したコンテンツの全再生領域に亘って再生禁止の所定状態から再生可能な通常状態に変更する処理を行うことで、再生可能とするようにしたため、パスワードを知っている者のみが、全再生領域に亘って再生禁止の所定状態とされたコンテンツを再生することができる。
【００１９】
更に、本発明によれば、規格で定められた編集機能を利用して視聴制限を行っているため、当該規格に準拠した他の再生装置でも視聴制限したコンテンツの再生を制限することができる。
【発明を実施するための最良の形態】
【００２０】
次に、本発明を実施するための最良の形態について、図面と共に説明する。図１は本発明になる記録型光ディスクの視聴制限方法の一実施の形態のフローチャート、図２は本発明になる光ディスク記録再生装置の一実施の形態ブロック図を示す。本実施の形態は視聴制限をかける手段として、ＤＶＤ−ＶＲ（Video Recording）規格で規定されているテンポラリ・イレース・ステート（Temporary Erase State）を利用し、再生させたくないコンテンツの全領域をテンポラリイレース状態に設定する。
【００２１】
図２に示す本実施の形態の光ディスク記録再生装置は、ＤＶＤ−ＶＲ規格でコンテンツが記録された光ディスクに対してコンテンツを記録し再生するための光ディスク記録再生部１と、記録再生装置全体の記録再生動作を制御する制御部２と、制御部２に対して少なくとも記録、再生、停止、視聴制限等の入力操作を行う操作部３と、制御部２から出力する表示情報を表示する表示部４とを少なくとも有している。
【００２２】
制御部２は、その制御動作の一つとして、操作部３からの入力操作に基づいて、光ディスク記録再生部１により、ＤＶＤ−ＶＲ規格でコンテンツが記録された光ディスクの視聴制限のための再生動作を、図１のフローチャートに従って行わせる。制御部２は、まず、光ディスク記録再生装置の表示部４に、例えば図３に示すメニュー画面を表示させて、使用者に再生するコンテンツを選択させる（ステップ１０１）。
【００２３】
図３において、表示部４には、光ディスク記録再生部１において再生しようとする光ディスクに記録されているコンテンツが例えば４つある場合、それら４つの各コンテンツの内容を端的に示す静止画の代表画像１１、１２、１３及び１４が、タイトル番号に対応付けて一覧表示されると共に、画面下側に視聴制限設定／解除ボタン１５がＯＳＤ（オンスクリーンディスプレイ）で表示されている。また、タイトル番号＃２には視聴制限状態表示マーク１７が表示されており、タイトル番号＃２のコンテンツが視聴制限がかかっていることを示している。視聴制限がかかっているかどうかは、コンテンツ内のすべてのＴＥのビットを調べ、テンポラリ・イレース・ステートであるかどうかにより判断する。
【００２４】
すなわち、本実施の形態では、選択したコンテンツに視聴制限をかける場合は、その選択したコンテンツのＴＥビットを全てノーマル・ステートからテンポラリ・イレース・ステートに書き換える。ＤＶＤ−ＶＲ規格では、プレイリストを使った仮想編集機能があり、データ自体は削除されないが、編集後のデータは再生されないようにするテンポラリイレース状態とする機能があり、このテンポラリイレース状態とするときには、そのコンテンツのＴＥビットをすべてテンポラリ・イレース・ステートとする。従って、全てのＴＥビットがテンポラリ・イレース・ステートに書き換えられた選択されたコンテンツは、実質上視聴制限状態となる。
【００２５】
この状態で、使用者が図３に示すようにカーソル１６によりタイトル番号＃３のコンテンツを選択した場合は、制御部２は、選択したコンテンツに視聴制限がかかっているかどうか判定する（ステップ１０２）。ここでは、選択したタイトル番号＃３のコンテンツは視聴制限がかかっていないので、光ディスク記録再生装置は、視聴制限をかけるかどうか判定する（ステップ１０３）。
【００２６】
視聴制限をかける場合は、使用者が図３の視聴制限設定／解除ボタン１５を例えば１回押下し、視聴制限をかけない場合は例えば２回連続して押下する。ステップ１０３で視聴制限をかけるとしたとき、あるいは、ステップ１０２で視聴制限がかかっているコンテンツを選択したと判定したときには、制御部２は、表示部４を図４に示すようなパスワード入力画面に切り替えてパスワードの入力を促す（ステップ１０４、又は１０５）。
【００２７】
図４において、表示部４の画面には、「パスワードを入力して下さい」というメッセージの下に４桁の四角形のパスワード入力領域、カーソル１８、決定ボタン１９が表示される。使用者はカーソル１８によりパスワードを入力する桁を指定して、４桁のパスワードを入力した後、決定ボタン１９を押下する。このようにして、ステップ１０４で最初にパスワードが入力されると、そのパスワードが光ディスク上の特定領域（ＤＶＤ−ＶＲ規格で規定された、テキスト情報を記録するための領域ＩＴ＿ＴＸＴが望ましい）、又は固定メモリ（フラッシュメモリ等の不揮発性メモリ）に保存されると共に、指定コンテンツの全領域を視聴可能な通常状態から視聴制限状態とするように、指定コンテンツ内の全てのＴＥビットをテンポラリ・イレース・ステートに書き換える（ステップ１０６）。
【００２８】
続いて、光ディスクを再生するか装置から取り出すかのどちらが使用者により選択されたかを判定し（ステップ１０７）、光ディスク取り出しの場合は、光ディスクが載置されているトレイをオープンし（ステップ１１５）、再生の場合は、ステップ１０５に進みパスワードの入力を促す。一方、ステップ１０２で選択したコンテンツに視聴制限がかかっていると判定した場合もステップ１０５に進んでパスワードの入力を促す。
【００２９】
ステップ１０５で前述したステップ１０４と同様に図４に示したパスワード入力画面に基づいて、使用者がパスワードを入力すると、ステップ１０４で最初に入力してＩＴ＿ＴＸＴに保存設定されているパスワードと、ユーザがステップ１０５で入力したパスワードが一致しているかをチェックする（ステップ１０８）。両パスワードが一致していない場合には、ステップ１０５に戻り、再度ユーザにパスワード入力を促し、一致するまで次のステップ１０９には進むことができないようにする。
【００３０】
ステップ１０８でパスワードが一致した場合は、ステップ１０９に進み、選択されているコンテンツ内の全てのＴＥのビットをテンポラリ・イレース・ステートからノーマル・ステートに書き換え、選択されているコンテンツを視聴制限状態から視聴可能な通常状態に変換する。
【００３１】
上記のステップ１０９の処理後、又は視聴制限がかかっていない選択したコンテンツに対して視聴制限を行わないとステップ１０３で判定した場合には、光ディスクを再生するか、取り出すかの判定を行う（ステップ１１０）。コンテンツの再生を選択した場合は、光ディスクの再生動作に入る（ステップ１１６）。
【００３２】
一方、ステップ１１０で光ディスクの取り出しを選択した場合は、ＩＴ＿ＴＸＴにパスワードが保存されていないかをチェックし（ステップ１１１）、保存されている場合は、パスワードを保存するかしないかを選択させる（ステップ１１２）。ここで、ステップ１１１でパスワードが設定されていると判定された光ディスクは、前回視聴制限されていてパスワード入力して再生した後取り出した光ディスクである。ステップ１１２で保存しないことを使用者が選択したと判定した場合は、パスワードを消去した後（ステップ１１３）、トレイをオープンして光ディスクの取り出しを可能とする（ステップ１１５）。
【００３３】
他方、ステップ１１２でパスワードを保存することを使用者が選択したと判定した場合は、選択されたコンテンツのＴＥビットを全てノーマル・ステートからテンポラリ・イレース・ステートに書き換え、選択されたコンテンツを視聴制限状態とした後、トレイをオープンして光ディスクの取り出しを可能とする（ステップ１１５）。
【００３４】
このように、本実施の形態によれば、ＤＶＤ−ＶＲ規格でコンテンツが記録された光ディスクの再生時に、ＤＶＤ−ＶＲ規格では本来編集のためにコンテンツ部分の再生を禁止するために使用するテンポラリ・イレース・ステートを利用して、選択されたコンテンツを実質上視聴制限状態とすることができる。このテンポラリイレース状態に設定されたコンテンツが記録された光ディスクを他のＤＶＤレコーダ／プレーヤ（光ディスク記録再生装置）に挿入しても、当然そのコンテンツ部分は再生されない。
【００３５】
次に、本発明の他の実施の形態について説明する。本実施の形態は、タイマ録画の際に視聴制限の設定を可能とするものである。図５は本実施の形態のタイマ録画を設定するための予約画面の一例を示す。同図において、表示部４には、タイマ録画を開始する開始時刻表示窓２１、終了時刻表示窓２２、記録モード表示窓２３、入力チャンネル表示窓２４、視聴制限状態表示窓２５が設けられると共に、画面下側に視聴制限設定／解除ボタン２６及び決定ボタン２７がＯＳＤ（オンスクリーンディスプレイ）で表示されている。視聴制限設定／解除ボタン２６は、記録終了時に視聴制限の設定を行うかどうかを選択させるためのボタンである。
【００３６】
本実施の形態では、以下の処理を実行する。光ディスク記録再生装置の使用者がタイマ録画のために、操作部３を操作して図４に示すタイマ録画の予約画面を表示部４に表示させ、タイマ録画の開始時刻、終了時刻、記録モード、録画予約の入力チャンネルをそれぞれ入力した後、そのタイマ録画したチャンネルのコンテンツの視聴可否を視聴制限設定／解除ボタン２６で指定する。
【００３７】
このとき視聴制限をしないときには、視聴制限状態表示窓２５には「可」の文字が表示され、視聴制限を行うときには、視聴制限状態表示窓２５には例えば「否」の文字が表示される。また、視聴制限を行うように視聴制限設定／解除ボタン２６を操作すると、表示部４の表示画面が図４に示したパスワード入力画面に切り替わり、この画面で使用者にパスワードを入力させる。
【００３８】
前述したようにそのパスワード入力が初めてのときには、パスワードを光ディスク上の特定領域、又は固定メモリに保存する。パスワード入力が初めてでないときには、入力したパスワードが保存されているパスワードと一致した場合のみ、録画終了時の視聴制限の設定／解除を行う（パスワード保存が無い場合は無条件で設定可）。
【００３９】
パスワード入力後、表示部４の表示画面が再び図４のタイマ録画の予約画面に切り替わり、視聴制限がかけられたコンテンツについては図４の視聴制限状態表示窓２５をＯＳＤ表示して、使用者に状態を明示する。そして、決定ボタン２７を押下することにより、タイマ録画が完了する。
【００４０】
タイマ録画の開始時刻になると、指定した入力チャンネルのコンテンツの光ディスクへの録画が自動的に開始され、終了時刻で録画が自動的に終了する。このとき、使用者がタイマ録画終了後の視聴制限を設定していた場合は、本実施の形態の光ディスク記録再生装置は、タイマ録画終了直後に録画したコンテンツの全領域をテンポラリイレース状態になるように、光ディスクのＩＦＯ情報を書き換える（ＴＥビットをテンポラリ・イレース・ステートに書き換える）。
【００４１】
従って、その後、タイマ録画した視聴制限がかかっているコンテンツを再生するときには、図１で説明したように、パスワードを入力し、その入力パスワードが保存されているパスワードと一致した場合に限り、タイマ録画したコンテンツの全領域のＴＥビットがノーマルステートに書き換えられ、再生可能となる（図１のステップ１０１、１０２、１０５、１０８、１０９、１１０、１１６）。
【００４２】
他方、保存したパスワードを知らない者がパスワードを入力しても、その入力パスワードは保存したパスワードと一致することはないから、タイマ録画したコンテンツの全領域のＴＥビットがノーマルステートに書き換えられることはなく、テンポラリ・イレース・ステートのままであるので、視聴ができない。
【００４３】
なお、本発明は以上の実施の形態に限定されるものではなく、ＤＶＤ−ＶＲ規格以外のＤＶＤその他の光ディスクに対しても、編集の際に再生を禁止する機能を利用して視聴制限をすることは可能である。
【図面の簡単な説明】
【００４４】
【図１】本発明の一実施の形態のフローチャートである。
【図２】本発明の光ディスク記録再生装置の一実施の形態のブロック図である。
【図３】本発明におけるメニュー画面の一例を示す図である。
【図４】本発明におけるパスワード入力画面の一例を示す図である。
【図５】本発明におけるタイマ録画設定画面の一例を示す図である。
【符号の説明】
【００４５】
１  光ディスク記録再生部
２  制御部
３  操作部
４  表示部
１１〜１４  代表画像
１５、２６  視聴制限設定／解除ボタン
１６、１８、２８  カーソル
１７  視聴制限状態表示マーク
１９、２７  決定ボタン
【図１】
2005339700.tif 000003
【図２】
2005339700.tif 000004
【図３】
2005339700.tif 000005
【図４】
2005339700.tif 000006
【図５】
2005339700.tif 000007